(57)【要約】【課題】  着脱が簡単で、掃除機の持つ本来の集塵力をそのまま生かして集塵すると共に、同時に拭き掃除もできる掃除機用の拭き具の提供を目的とする。【解決手段】  板材を重ねてその一端側を固定すると共に、他端側は固定することなく開放状態にして開放端として拭き具本体を形成した。この拭き具本体の開放端内部に第１の取付手段を、また、開放端部側の外表面には、第２の取付手段を設けて掃除用のシートを拭き具本体に巻き回した状態で取付けした。  電気掃除機の吸口体には、第３の取付手段を設けると共に、第２の取付手段の一部を圧着して取付けることで掃除機用の拭き具とした。  このような掃除機用の拭き具によれば、集塵と拭き掃除を同時に行うことができるものである。【選択図】        図１
2006110285.tif 000002
【特許請求の範囲】
【請求項１】
板材を二枚重ねにして、その一辺側を固着すると共に、この固着した辺と対向する他端側は、前記板材が重合して互いに接触しただけの開放端とした拭き具本体と、
この拭き具本体の前記開放端の内側で、前記重合したどちらか一方の面の板材に設けられて、拭き掃除シートの一端を取付ける第１の取付手段と、
この第１の取付手段の設けられていない他端側板材の外表面で、前記開放端側に設けた第２の取付手段と、
この第２の取付手段と接合して両者を互いに接着させると共に、電気掃除機の吸口体に配設する第３の取付手段とからなる掃除機用の拭き具。
【請求項２】
板材を折曲して互いに連結した複数枚の積み重ね状態にすると共に、折曲した板材の最終端部を開放状態に形成して開放端とした拭き具本体と、
この拭き具本体の前記開放端の内側で、どちらか一方の面の板材に設けられ、拭き掃除シートの一端を取付ける第１の取付手段と、
この第１の取付手段の設けられていない他端側板材の外表面で、前記開放端側に設けた第２の取付手段と、
この第２の取付手段と接合して両者を互いに接着させると共に、電気掃除機の吸口体に配設する第３の取付手段とからなる掃除機用の拭き具。
【発明の詳細な説明】
【技術分野】
【０００１】  本発明は、吸引により掃除をする電気掃除機の吸口体に、容易に取付けられると共に、簡単な構造で拭き掃除も、同時に行えるように改善した掃除機用の拭き具に関する。
【背景技術】
【０００２】  掃除機を用いて集塵と拭き掃除とを、同時に行うことができる従来例としては、吸引により集塵を行う掃除機の吸口体の後方に、弾力性のスポンジとこのスポンジを覆うカバーとで拭き具を形成し、この拭き具に布を装着すると共に、この拭き具をマジックテープ（商標）と呼ばれる接着手段と、ベルト等の固定手段とを用いて、吸口体の側壁面とホースとに取付ける電気掃除機接続ぞうきんがある。（例えば特許文献１参照）
また、掃除機の吸口体内に着脱可能な状態で、雑巾ホルダを設けた拭き掃除兼用掃除機ノズルがある。（例えば特許文献２参照）
更に、吸口体の吸引部を覆うカバーを、吸口体に取付けてカバーで拭き掃除を行う電気掃除機吸い口部のカバーがある。（例えば特許文献３参照）
【特許文献１】  特開平９−１９２０７１号（第２頁、図１）
【特許文献２】  特開平１０−１６５３３７号（第２頁、図１、図２）
【特許文献３】  実用新案登録第３０６２２号（第２頁、図１、図４）
【発明の開示】
【発明が解決しようとする課題】
【０００３】  特許文献１に示す電気掃除機接続ぞうきんは、吸口体の後方に取付けて使用するために、吸口体の形状に一致させる必要がある。吸口体の形状は、各製造メーカーや機種によって異なるので、汎用性に欠けるものであった。
また、この接続ぞうきんは、吸口体とは独立した製品であるが、吸口体やホースに取付けるための取付手段が複雑であり、操作性なども良くないものであった。
特許文献２に示す拭き掃除兼用掃除機ノズルは、雑巾ホルダーが吸口体内に収納されるために、専用の吸口体が必要であって、汎用性が薄くて市販の掃除機には、全く使用できないという欠点があった。
特許文献３に示す電気掃除機吸い口部のカバーは、吸口体の吸引部を覆うために、吸引力が弱くなるだけではなくて、吸引部の前方にあるカバーで、集塵する前に拭き掃除を行ってしまうことになる。
その結果、ごみを吸口体の前方に押し出してしまうことになるので、本来の集塵量が得られなくなるという大きな欠点があった。
本発明は、このような欠点を解消するためになされたものであり、構造が簡単で吸口体への取付けも容易であって、掃除機の持っている本来の集塵力をそのまま生かして集塵し、同時に拭き掃除もできる掃除機用の拭き具の提供を目的とする。
【発明を解決するための手段】
【０００４】  上記不具合を解決するために、本発明は次のような構成としている。
請求項１に記載した掃除機用の拭き具は、板材を二枚重ねにして、その一辺側を固着すると共に、他端側は固着することなく、前記板材が重合して接触しただけの開放端として拭き具本体を形成した。
この拭き具本体の前記開放端内面の一方には、拭き掃除シートの一端を取付ける第１の取付手段を設けると共に、この第１の取付手段を設けていない方の板材の外表面には、第２の取付手段を前記開放端側に設けた。
この第２の取付手段と接合する第３の取付手段を電気掃除機の吸口体に配設することで掃除機用の拭き具とした。
この掃除機用の拭き具に設けた前記第１の取付手段と、第２の取付手段の一部を利用して、掃除用シートを取付けると共に、第２の取付手段と第３の取付手段とを接合すると、掃除機用の拭き具を吸口体に取付けることができる。
このような状態で掃除機を使用することによって、掃除機での集塵と拭き具による拭き掃除とが同時にできるものである。
請求項２に記載した掃除機用の拭き具は、請求項１に記載した二枚重ねの拭き具本体を、一枚ずつ重ねることなく、大きな板材を折曲して重ね合せたものであり、折曲して互いに連接した複数枚を重合すると共に、その最終端を開放した状態の開放端として、これを拭き具本体としたものである。
拭き掃除シートの第１の取付手段や、第２、第３の取付手段などの取付けは、請求項１に記載のものと同様である。折曲して形成した拭き具本体は、互いの接合が容易であり、拭き具本体としての強度も折曲した枚数によって、容易に選択することができる。
【発明の効果】
【０００５】  本発明によれば、掃除機の吸口体後方に、容易に着脱できる拭き具を取付けたことにより、以下の効果を得ることができた。
すなわち、掃除機の吸口体後方に掃除機用の拭き具を設けたことにより、吸引力を阻害することなく、拭き掃除も同時に行うことができるようになった。
拭き具本体は、吸口体が床面に接する位置に取付けたことによって、拭き具を床面に押し付けながら使用することになるので、拭きの効果を更に向上させることができた。
化学繊維よりなる掃除シートは、圧接布などの取付手段に簡単に取付けられ、拭き具本体の開放端側にはさまれた状態であるから、使用中に外れるようなことがない。
掃除機用の拭き具は、吸口体に圧接するだけで取付けできると共に、掃除の場所によっては、簡単に取外した状態で使用することもできるなど多くの効果を得ることができた。
【発明を実施するための最良の形態】
【０００６】  本発明について、図面を参照して説明する。図１は本発明の掃除機用の拭き具を示す斜視図、図２は図１の分解斜視図である。
図１で示すように、本発明の掃除用の拭き具１０は、二枚の板材を重ね合わせて、その一辺側を固着すると共に、他端側を固着せずに開放端１５とした拭き具本体１２と、この拭き具本体１２の開放端側に設けた複数の取付手段とからなる。
このような拭き具本体１２と、複数の取付手段などについて、更に詳細に説明する。
図２で示すように拭き具本体１２には、二枚の長方形よりなる板材１３を重ねると共に、図中の斜線で示す接着面１４に、図示しない接着剤や両面接着テープなどで、固着している。
また、固着しない他端側は、互いに重なり合っただけであり、押し開くことができる開放端１５を形成している。【０００７】  このように形成した拭き具本体１２の開放端側の内側には、後述する拭き掃除用のシートの一端を取付けるための第１の取付手段１６を設けている。図２の例では、下側の板材１３に取付けた例を示している。
この第１の取付手段１６は、拭き掃除用に用いるシートの材質によっても異なるが、シートとして化学繊維よりなるシートを用いた場合は、圧接することにより接合でき、マジックテープ（商標）とも呼ばれる市販の圧接布を用いている。
また、図中の上側の板材１３の開放端１５側には、前述した図示しない拭き掃除用シートの最終端部を、その一部に取付ける第２の取付手段１８を設けている。
この第２の取付手段１８も、市販のマジックテープ（商標）とも呼ばれ、互いに圧接することにより接合できる圧接布である。
尚、この第２の取付手段１８は、後述する吸口体への取付手段ともなるものであり、前述した第１の取付手段１６の面積よりも広い方が望ましい。
第２の取付手段は拭き具本体１２の外表面に、また、第１の取付手段１６を開放端１５の内側に設けたことに、大きな特徴を有するものである。
第１の取付手段１６と第２の取付手段１８とは、図１の例ではどちらも圧接布を用いて対応することが可能であるから、同じ圧接布を設けた二枚の板材１３を重合するだけで、拭き具本体１２を形成することも可能であり、製造も容易である。【０００８】  このように形成した掃除用の拭き具１０には、市販品であり、化学繊維で形成した雑巾やシートなどを取付けて用いる。拭き掃除用のシートを取付ける例について、図面を参照して説明する。図３は掃除シートの取付けを示す説明図、図４は図３の完了状態を示す説明図である。
拭き掃除に用いるシートは、住宅用掃除シートとして各種のものが市販されており、使い捨てシートを用いる例について説明する。
化学繊維よりなる拭き掃除用のシートは、化学繊維で作られた圧接布とも接合しやすくて、着脱も容易である。
図３で示すように、拭き掃除を行うために用いる掃除シート１９は、掃除機用の拭き具１０の開放端１５を広げると共に、図２で示した第１の取付手段１６上に、掃除用シート１９の一端を圧接して取付ける。
更に、その状態から図４で示すように、掃除機用の拭き具１０の外周囲を、巻き回すようにして、その終端部を第２の取付手段１８の一部に圧接することで取付けることができる。【０００９】  掃除シート１９を装着した掃除機用の拭き具１０の吸口体への取付方について、図面を参照して説明する。図５は掃除機の吸口体へ第２の取付手段を取付ける説明図、図６は本発明の掃除機用の拭き具を、図５で示す吸口体に取付ける説明図である。
図５で示すように吸口体２０は、ホース２５を介して掃除機の本体側に接続され、集塵用の吸口２２を設けている。このような吸口体２０の、床接触面のホース２５側の両端に、第３の取付手段２６を設けている。
この第３の取付手段２６は、掃除機用の拭き具１０に設けた第２の取付手段１８と対応させて、両者を互いに接合させるものであり、表面の柔らかなメス側の圧接布を配設している。その理由は、掃除機用の拭き具１０は、不使用の状態で掃除することもあって、床面に傷を付けないように配慮したからである。
このような第３の取付手段２６は、図示しない両面接着テープなどによって、吸口体２０に簡単に取付けることができる。
第３の取付手段２６を取付けた吸口体２０には、図６で示すように掃除シート１９を巻き付けた掃除機用の拭き具１０を取付ける。この取付けは、吸口体２０に設けた第３の取付手段と、掃除機用の拭き具１０に設けた第２の取付手段１８とを、重ねて互いに圧接することで装着できる。【００１０】  このように構成した掃除機用の拭き具１０を使用するには、通常の掃除機の使用方法と同様に用いることで、集塵と拭き掃除とが同時に行えるものである。
掃除は集塵後に拭くことが一般的であり、本発明の掃除機用の拭き具１０も、このような例にならって掃除をすることができるものである。
これは吸口２２の後方に拭き具を配置したことで、掃除機の持つ集塵力を全く損なうことなく、拭き掃除ができるものである。しかも、掃除機用の拭き具１０は、吸口体２０の床面と接する面に取付けられていることで、拭き具も吸口体２０の重さや、使用中にかかる吸口体への押圧力を受けるために、常に床面側に押圧された状態で使用される理由で、良好な拭き掃除ができる作用を持っている。
また、掃除シート１９は、拭き具本体１２の開放端１５内部で、はさまれた状態に取付けられていることと、掃除中の吸口体２０には、床面を押圧する力が付加されていることとで、掃除シートが使用中に外れないような作用を倍増させている。
その結果、使用中に掃除シート１９が外れることもなく、良好な拭き掃除ができるようになっている。
尚、板材１３の材質としては、ゴム板や軟質製の合成樹脂板、又はフェルト材やコルク材など厚地の軟質材を主に用いている。【００１１】  本発明の他の例について説明する。図７は他の例の掃除機用の拭き具を示す斜視図、図８は図７で示す拭き具本体を展開して示す説明図、図９は図８で示す取付手段の詳細図である。
図８で示すように、本発明の他の例である掃除機用の拭き具３０は、拭き具本体３２として、広い面積の網体よりなる板材を折曲して形成しており、網体の特徴を生かして、掃除シートの取付手段を、網体の一部で形成している。
尚、吸口体への取付けは、前述例と同様なので、詳細な説明は省略する。
拭き具本体３２は、合成樹脂製の網体よりなる板材を折曲して、二枚重ねに形成することで、一端側が固着され他端側が開放端３５となる。
このような拭き具本体３２は、前述例と同様に掃除シートの取付手段と、吸口体への取付手段とを設ける。これらの取付手段は、前述例と同様でも良いが、図７で示す例は板材として網体を用いたことで、この特徴を生かして網体の一部を切断し、コ字状の切欠３７を設けることで、掃除シートの取付手段としている。
この取付手段について説明すると、図８で示すように板材を折曲した際に開放端３５となる板材の一方の両端部に、コ字状の切欠よりなる第１の取付手段３６を設けている。
他端側の板材の両端は、前述例の第２の取付手段と同じでも良いが、図８で示す例では、前述例の圧接布とコ字状の切欠とからなる２種類の取付手段を設けることで、第２の取付手段３８としている。
図中の点線よりなる枠で示したものが圧接布であり、吸口体への取付手段である。また、コ字状の切欠３７は、巻き回して取付ける掃除シートの、終端取付部となる取付手段である。
このように形成した板材は、図中の中央部に示す折曲３３で折り曲げることにより、拭き具本体３２を形成することができる。
コ字状の切欠３７よりなる取付手段は、図９で示すように網体の一部を、コ字状に切断３９することにより、形成することができる。切断して切起こした切欠３７の中へ掃除シートを押し込むと、切欠３７には復元力があることと、吸口体に取付けた状態では、上側から押圧された状態になることとで取付ができる。切断した切欠の突起部分が、掃除シートの外れを阻止するように作用するので、更に取付を確実に行うことができるものである。【００１２】  拭き具本体の他の例について、図面を参照して説明する。図１０は図７で示した拭き具本体の他の例を示す斜視図である。
他の例で示す拭き具本体４２は、図７で示したと同様に、網体よりなる板材を用いている。図７で示す例では、板材を二枚重ねとなるように折曲したが、図１０で示す拭き具本体４２は、これを三枚重ねとなるように折曲している。
すなわち、網体よりなる板材を、２個所で折曲することにより、拭き具本体として全体の強度を向上させたものである。換言すれば、弱い板材でも複数回の折曲を行うことで、強度のある拭き具本体を得ることができる。
この折曲した最終端の位置が、開放端４５となり、切欠を設けて掃除シートの取付手段とすることも前述例と同じである。
また、更に強度を向上させるためには、複数回の折曲を行うだけではなく、折曲した拭き具本体の長手方向にそった中央部を、互いに溶着させて一体化することにより、強度を向上させることは、図７で示す例も含めて同じである。
このような拭き具本体４２は、取付手段も含めて前述例と同様に形成することで、掃除機用の拭き具４０としたものである。
【図面の簡単な説明】
【００１３】
【図１】    本発明の掃除機用の拭き具を示す斜視図である。
【図２】    図１の分解斜視図である。
【図３】    掃除シートの取付けを示す説明図である。
【図４】    図３の取付完了状態を示す説明図である。
【図５】    掃除機の吸口体への取付手段を取付ける説明図である。
【図６】    掃除機用の拭き具を図５で示した吸口体に取付ける説明図である。
【図７】    本発明の他の例である掃除機用の拭き具を示す斜視図である。
【図８】    図７で示す拭き具本体を展開して示す説明図である。
【図９】    図８で示す取付手段の詳細図である。
【図１０】    図７で示した拭き具本体の他の例を示す斜視図である。
【符号の説明】
【００１４】  １０  掃除機用の拭き具
１２  拭き具本体
１３  板材
１５  開放端
１６  第１の取付手段
１８  第２の取付手段
１９  掃除シート
２０  吸口体
２６  第３の取付手段
３０  掃除機用の拭き具
３２  拭き具本体
３５  開放端
３６  第１の取付手段
３７  切欠
３８  第２の取付手段
４０  掃除機用の拭き具
４２  拭き具本体
４５  開放端
【図１】
2006110285.tif 000003
【図２】
2006110285.tif 000004
【図３】
2006110285.tif 000005
【図４】
2006110285.tif 000006
【図５】
2006110285.tif 000007
【図６】
2006110285.tif 000008
【図７】
2006110285.tif 000009
【図８】
2006110285.tif 000010
【図９】
2006110285.tif 000011
【図１０】
2006110285.tif 000012